(57)【特許請求の範囲】
【請求項１】
段階的な燃焼位置で燃焼可能な、複数の段階値制御ボイラからなるボイラ群と、
前記ボイラ群において生成された蒸気を集合させる蒸気ヘッダと、
前記蒸気ヘッダの内部の蒸気圧値であるヘッダ圧力値を測定する蒸気圧力測定手段と、
予め設定された最大設定圧力値を設定圧力範囲の上限値とし、予め設定された制御幅により前記設定圧力範囲が規定され、前記蒸気圧力測定手段により測定される前記ヘッダ圧力値が、前記設定圧力範囲に収まるように前記ボイラ群の燃焼状態を制御する制御装置と、
を備えるボイラシステムであって、
前記制御装置は、
前記ヘッダ圧力値の上昇時の前記ボイラ群の燃焼量減少のタイミングを判断するための複数の圧力帯域に区分された第１制御圧力帯域を記憶する第１制御圧力帯域記憶部と、
前記ヘッダ圧力値の上昇時の前記ボイラ群の燃焼量減少のタイミングを前記第１制御圧力帯域に基づいて制御する第１制御部と、
前記第１制御圧力帯域の各圧力帯域を下方にずらして、前記ヘッダ圧力値の上昇時の前記ボイラ群の燃焼量減少のタイミングを前記第１制御圧力帯域の各圧力帯域より所定圧力分下げた、第２制御圧力帯域を記憶する第２制御圧力帯域記憶部と、
前記ヘッダ圧力値の上昇時の前記ボイラ群の燃焼量減少のタイミングを前記第２制御圧力帯域に基づいて制御する第２制御部と、
前記ヘッダ圧力値に所定の条件を満たす下降が発生し、その後ヘッダ圧力値が下降から上昇に転じた第１状態を検出する第１検出部と、
前記第１検出部により前記第１状態が検出された場合、前記ヘッダ圧力値の上昇時の前記ボイラ群の燃焼量減少のタイミングの制御を前記第１制御部による制御から前記第２制御部による制御に切り換える、制御切換部と、
を備える、ボイラシステム。
【請求項２】
前記第２制御圧力帯域の上限値は、前記第１制御圧力帯域の上限値と等しい、請求項１に記載のボイラシステム。
【請求項３】
前記所定の条件は、前記ヘッダ圧力値がオーバーシュートしたことに起因して前記ヘッダ圧力値が下降すること、又は前記ヘッダ圧力値が下降してアンダーシュートすることを含む、請求項１又は請求項２に記載のボイラシステム。
【請求項４】
前記所定の条件は、前記ヘッダ圧力値が、前記設定圧力範囲の上限圧力値以上の値である制御上限圧力値を超えること、又は前記ヘッダ圧力値が前記設定圧力範囲の下限圧力値以下の値である制御下限圧力値を下回ることを含む、請求項１乃至請求項３のいずれか１項に記載のボイラシステム。
【請求項５】
前記所定の条件は、前記ヘッダ圧力値が前記制御上限圧力値を超えた場合に、前記複数のボイラを全台待機とすることを含む、請求項４に記載のボイラシステム。
【請求項６】
前記制御装置は、さらに
制御周期毎に、前記ヘッダ圧力値と前記設定圧力範囲の上限圧力値との差分である圧力偏差に基づいて、必要蒸気量ＭＶｎを算出する必要蒸気量算出部を備え、
前記所定の条件は、蒸気の供給を行っている全てのボイラの最大出力蒸気量の合計値が前記必要蒸気量算出部により算出される現時点の必要蒸気量ＭＶｎを下回る状態で、前記ヘッダ圧力値が予め設定された第１圧力値を下回ることを含む、請求項１乃至請求項３のいずれか１項に記載のボイラシステム。
【請求項７】
前記制御装置は、さらに
前記第２制御圧力帯域の各圧力帯域を下方にずらして、前記ヘッダ圧力値の上昇時の前記ボイラ群の燃焼量減少のタイミングを前記第２制御圧力帯域の各圧力帯域より所定圧力分下げた、第３制御圧力帯域を記憶する第３制御圧力帯域記憶部と、
前記ヘッダ圧力値の上昇時の前記ボイラ群の燃焼量減少のタイミングを前記第３制御圧力帯域に基づいて制御する第３制御部と、
前記第１検出部により前記第１状態が検出された場合、さらに、前記ヘッダ圧力値の下降の時間に対する勾配値が予め設定された所定の勾配値よりも大きい値となるか、又は
ヘッダ圧力値の下降値が予め設定した所定の下降値よりも小さい値となる第２状態を検出する第２検出部と、を備え、
前記制御切換部は、前記第２検出部により前記第２状態が検出された場合、前記ヘッダ圧力値の上昇時の前記ボイラ群の燃焼量減少のタイミングの制御を前記第１制御部による制御から前記第３制御部による制御に切り換える、請求項１乃至請求項６のいずれか１項に記載のボイラシステム。
【請求項８】
前記制御切換部は、さらに、
前記制御切換部により、前記ヘッダ圧力値の上昇時の前記ボイラ群の燃焼量減少のタイミングの制御を前記第２制御部又は前記第３制御部による制御に切り換えられた後、前記ヘッダ圧力値が前記設定圧力範囲の上限圧力値に達することなく、下降に転じた場合に、前記ヘッダ圧力値の上昇時の前記ボイラ群の燃焼量減少のタイミングの制御を前記第１制御部による制御に切り換える、請求項７に記載のボイラシステム。
【請求項９】
段階的な燃焼位置で燃焼可能な、複数の段階値制御ボイラからなるボイラ群と、
前記ボイラ群において生成された蒸気を集合させる蒸気ヘッダと、
前記蒸気ヘッダの内部の蒸気圧値であるヘッダ圧力値を測定する蒸気圧力測定手段と、
予め設定された最大設定圧力値を設定圧力範囲の上限値とし、予め設定された制御幅により前記設定圧力範囲が規定され、前記蒸気圧力測定手段により測定される前記ヘッダ圧力値が、前記設定圧力範囲に収まるように前記ボイラ群の燃焼状態を制御する制御装置と、
を備えるボイラシステムであって、
前記制御装置は、
前記ヘッダ圧力値の上昇時における前記ボイラ群の燃焼量減少のタイミングを判断するための複数の圧力帯域に区分された第１制御圧力帯域を記憶する第１制御圧力帯域記憶部と、
前記ヘッダ圧力値の上昇時における前記ボイラ群の燃焼量減少のタイミングを前記第１制御圧力帯域に基づいて制御する第１制御部と、
前記第１制御圧力帯域の各圧力帯域を下方にずらして、前記ヘッダ圧力値の上昇時における前記ボイラ群の燃焼量減少のタイミングを前記第１制御圧力帯域の各圧力帯域より所定圧力分下げた、第２制御圧力帯域を記憶する第２制御圧力帯域記憶部と、
前記ヘッダ圧力値の上昇時における前記ボイラ群の燃焼量減少のタイミングを前記第２制御圧力帯域に基づいて制御する第２制御部と、
ハンチング又はハンチングの起因となる可能性のある前記ヘッダ圧力値の変動である疑似ハンチングを検出するハンチング検出部と、
前記ハンチング検出部によりハンチング又は前記疑似ハンチングが検出し、その後ヘッダ圧力値が下降から上昇に転じた場合、前記ヘッダ圧力値の上昇時の前記ボイラ群の燃焼量減少のタイミングの制御を、前記第１制御部から前記第２制御部による制御に切り換える、制御切換部と、
を備える、ボイラシステム。
【請求項１０】
前記ハンチング検出部は、前記ヘッダ圧力値が、前記制御装置が前記複数のボイラを全缶停止する閾値として予め設定された制御上限圧力値と前記設定圧力範囲の上限圧力値との間に予め設定された第２制御上限圧力値を超える又は第２制御上限圧力値以上となる回数が、第１の時間の間に第１の回数以上発生する変動を擬似ハンチング状態として検出することを含む、請求項９に記載のボイラシステム。
【請求項１１】
前記ハンチング検出部は、前記ヘッダ圧力値が、前記設定圧力範囲の下限圧力値との偏差の絶対値が第１閾値以下となるように予め設定された第２制御下限圧力値を下回る又は第２制御下限圧力値以下となる回数が、第２の時間の間に、第２の回数以上発生する変動を擬似ハンチング状態として検出することを含む、請求項９又は請求項１０に記載のボイラシステム。
【請求項１２】
前記ハンチング検出部は、前記ヘッダ圧力値が降下する際の圧力降下幅が予め設定された圧力降下幅値を超えるか、又は圧力降下幅値以上となる回数が、第３の時間の間に、第３の回数以上発生する変動を擬似ハンチング状態として検出することを含む、請求項９乃至請求項１１のいずれか１項に記載のボイラシステム。
【発明の詳細な説明】
【技術分野】
【０００１】
本発明は、複数のボイラからなるボイラ群を備えるボイラシステムに関する。
【背景技術】
【０００２】
従来、複数の段階的な燃焼位置で燃焼可能な段階値制御ボイラを複数有するボイラ群と、要求される負荷に応じてボイラ群の燃焼状態を制御する制御部と、を備えるボイラシステムが提案されている。ここで、段階値制御ボイラとは、燃焼を選択的にオン／オフしたり、炎の大きさを調整したりすること等により複数段階の燃焼位置で燃焼するＮ位置制御ボイラをいい、このような段階値制御ボイラでは、燃焼率が段階的に変更される。なお、Ｎ位置制御とは、段階値制御ボイラの燃焼量を、燃焼停止位置を含めてＮ位置に段階的に制御可能なことを表す。
【０００３】
そして、特許文献１に記載されているように、段階値制御ボイラを複数有するボイラ群を備えるボイラシステムの燃焼制御においては、蒸気ヘッダの内部の蒸気圧値であるヘッダ圧力値が、予め設定された最大設定圧力値を上限値とし予め設定された制御幅により規定される圧力制御帯域の範囲内に収まるように、ボイラ群の燃焼状態を制御することが知られている。すなわち、最大設定圧力値から制御幅を減算して算出される圧力値を下限値とした場合、ヘッダ圧力値が、上限値と下限値とにより規定される圧力制御帯域の範囲内に収まるようにボイラ群の燃焼状態は制御される。
【０００４】
このような燃焼制御においては、圧力制御帯域は、複数の圧力帯域に区分される。そして、ボイラシステムは、圧力帯域毎に対応する燃焼状態（燃焼位置）を設定しておき、ヘッダ圧力値がどの圧力帯域に対応するかによって燃焼状態（燃焼位置）を決定することが行われる。
例えば、複数の圧力帯域のうち、最上位の圧力帯域（要求負荷が小さい場合）においては、全てのボイラが燃焼停止位置（−）に位置する燃焼状態（燃焼位置）が対応し、他方、最下位の圧力帯域（要求負荷が大きい場合）においては、全てのボイラが高燃焼位置（Ｈ）に位置する燃焼状態（燃焼位置）が対応する。
【０００５】
このような燃焼制御では、圧力下降時に燃焼量増加を判断するための制御圧力帯域と、圧力上昇時に燃焼量減少を判断するための制御圧力帯域とが別に定義され、両者はディファレンシャル分だけずらされている。
すなわち、ヘッダ圧力値が上昇方向（負荷量が減少方向）のときに燃焼量の大きい燃焼状態（燃焼位置）Ｘから燃焼量の小さい燃焼状態（燃焼位置）Ｙへ移行する基準となるヘッダ圧力値と、ヘッダ圧力値が下降方向（負荷量が増加方向）のときに燃焼量の小さい燃焼状態（燃焼位置）Ｙから燃焼量の大きい燃焼状態（燃焼位置）Ｘへ移行する基準となるヘッダ圧力値との間には、前者（上昇時）が後者（下降時）より大きくなるように所定の差（ディファレンシャル）を設けている。
仮にディファレンシャルを設けないとすると、ヘッダ圧力値が燃焼量増減ラインで前後した場合に、燃焼状態（燃焼位置）が頻繁に変化する可能性がある。このような変化を避けるために、ディファレンシャルを通常設けている。
【先行技術文献】
【特許文献】
【０００６】
【特許文献１】特開２０１１−２０８８１７号公報
【発明の概要】
【発明が解決しようとする課題】
【０００７】
しかしながら、圧力制御帯域が比較的に狭い場合、蒸気負荷が高いときにはヘッダ圧力値は安定しやすいが、蒸気負荷が低いときには、わずかな圧力変化に対して必要以上に燃焼量を増減させてしまうことで、ハンチング現象が発生する確率が高まることがある。
具体的には、低負荷時において、全台待機からのヘッダ圧力値低下の際、必要以上のボイラに対し燃焼指示を出してしまい、その後、一部ボイラが燃焼を開始し、ヘッダ圧力値が上昇に転じた後も、燃焼量を増やしすぎるため、ヘッダ圧力値がオーバーシュートし、最終的には設定圧力を超えて全台待機となることがある。
【０００８】
このようなハンチングを抑制するには、圧力低下時の燃焼量を抑制する方法と、圧力上昇時に早めに燃焼量を削減する方法とが考えられる。
圧力低下時の燃焼量を抑制する方法の場合、燃焼量抑制中に仮に蒸気負荷が急増した場合には、対応できないことが想定される。これに対して、圧力上昇時に早めに燃焼量を削減する方法の場合、仮に蒸気負荷が急増した場合には、ボイラを無駄に起動させる問題はあるが、圧力低下時の燃焼量を抑制する方法よりは安全なことが想定される。
【０００９】
本発明は、複数のボイラからなるボイラ群を備えるボイラシステムにおいて、ヘッダ圧力値に所定の条件を満たす下降が発生し、その後ヘッダ圧力値が下降から上昇に転じた状態を検出すると、早めに燃焼量を削減することで、ハンチング発生を防ぐことができるボイラシステムを提供することを目的とする。
【課題を解決するための手段】
【００１０】
本発明は、段階的な燃焼位置で燃焼可能な、複数の段階値制御ボイラからなるボイラ群と、前記ボイラ群において生成された蒸気を集合させる蒸気ヘッダと、前記蒸気ヘッダの内部の蒸気圧値であるヘッダ圧力値を測定する蒸気圧力測定手段と、予め設定された最大設定圧力値を上限値とし、予め設定された制御幅により設定圧力範囲が規定され、前記蒸気圧力測定手段により測定される前記ヘッダ圧力値が、前記設定圧力範囲に収まるように前記ボイラ群の燃焼状態を制御する制御装置と、を備えるボイラシステムであって、前記制御装置は、前記ヘッダ圧力値の上昇時の前記ボイラ群の燃焼量減少のタイミングを判断するための複数の圧力帯域に区分された第１制御圧力帯域を記憶する第１制御圧力帯域記憶部と、前記ヘッダ圧力値の上昇時の前記ボイラ群の燃焼量減少のタイミングを前記第１制御圧力帯域に基づいて制御する第１制御部と、前記第１制御圧力帯域の各圧力帯域を下方にずらして、前記ヘッダ圧力値の上昇時の前記ボイラ群の燃焼量減少のタイミングを前記第１制御圧力帯域の各圧力帯域より所定圧力分下げた、第２制御圧力帯域を記憶する第２制御圧力帯域記憶部と、前記ヘッダ圧力値の上昇時の前記ボイラ群の燃焼量減少のタイミングを前記第２制御圧力帯域に基づいて制御する第２制御部と、前記ヘッダ圧力値に所定の条件を満たす下降が発生し、その後ヘッダ圧力値が下降から上昇に転じた第１状態を検出する第１検出部と、前記第１検出部により前記第１状態が検出された場合、前記ヘッダ圧力値の上昇時の前記ボイラ群の燃焼量減少のタイミングの制御を前記第２制御部による制御に切り換える、制御切換部と、を備えるボイラシステムに関する。
【００１１】
また、前記第２制御圧力帯域の上限値は、前記第１制御圧力帯域の上限値と等しいことが好ましい。
【００１２】
また、前記所定の条件は、前記ヘッダ圧力値がオーバーシュートしたことに起因して前記ヘッダ圧力値が下降すること、又は前記ヘッダ圧力値が下降してアンダーシュートすることを含むことが好ましい。
【００１３】
また、前記所定の条件は、前記ヘッダ圧力値が、前記設定圧力範囲の上限圧力値以上の値である制御上限圧力値を超えること、又は前記ヘッダ圧力値が前記設定圧力範囲の下限圧力値以下の値である制御下限圧力値を下回ることを含むことが好ましい。
【００１４】
また、前記所定の条件は、前記ヘッダ圧力値が前記制御上限圧力値を超えた場合に、前記複数のボイラを全台待機とすることを含むことが好ましい。
【００１５】
また、前記制御装置は、さらに制御周期毎に、前記ヘッダ圧力値と前記設定圧力範囲の上限圧力値との差分である圧力偏差に基づいて、必要蒸気量ＭＶｎを算出する必要蒸気量算出部を備え、前記所定の条件は、蒸気の供給を行っている全てのボイラの最大出力蒸気量の合計値が前記必要蒸気量算出部により算出される現時点の必要蒸気量ＭＶｎを下回る状態で、前記ヘッダ圧力値が予め設定された第１圧力値を下回ることを含むことが好ましい。
【００１６】
また、前記制御装置は、さらに前記第２制御圧力帯域の各圧力帯域を下方にずらして、前記ヘッダ圧力値の上昇時の前記ボイラ群の燃焼量減少のタイミングを前記第２制御圧力帯域の各圧力帯域より所定圧力分下げた、第３制御圧力帯域を記憶する第３制御圧力帯域記憶部と、前記ヘッダ圧力値の上昇時の前記ボイラ群の燃焼量減少のタイミングを前記第３制御圧力帯域に基づいて制御する第３制御部と、前記第１検出部により前記第１状態が検出された場合、さらに、前記ヘッダ圧力値の下降の時間に対する勾配値が予め設定された所定の勾配値よりも大きい値となるか、又はヘッダ圧力値の下降値が予め設定した所定の下降値よりも小さい値となる第２状態を検出する第２検出部と、を備え、前記制御切換部は、前記第２検出部により前記第２状態が検出された場合、前記ヘッダ圧力値の上昇時の前記ボイラ群の燃焼量減少のタイミングの制御を前記第３制御部による制御に切り換えることが好ましい。
【００１７】
また、前記制御切換部は、さらに、前記制御切換部により、前記ヘッダ圧力値の上昇時の前記ボイラ群の燃焼量減少のタイミングの制御を前記第２制御部又は前記第３制御部による制御に切り換えられた後、前記ヘッダ圧力値が前記設定圧力範囲の上限圧力値に達することなく、下降に転じた場合に、前記ヘッダ圧力値の上昇時の前記ボイラ群の燃焼量減少のタイミングの制御を前記第１制御部による制御に切り換えることが好ましい。
【００１８】
本発明は、段階的な燃焼位置で燃焼可能な、複数の段階値制御ボイラからなるボイラ群と、前記ボイラ群において生成された蒸気を集合させる蒸気ヘッダと、前記蒸気ヘッダの内部の蒸気圧値であるヘッダ圧力値を測定する蒸気圧力測定手段と、予め設定された最大設定圧力値を上限値とし、予め設定された制御幅により設定圧力範囲が規定され、前記蒸気圧力測定手段により測定される前記ヘッダ圧力値が、前記設定圧力範囲に収まるように前記ボイラ群の燃焼状態を制御する制御装置と、を備えるボイラシステムであって、前記制御装置は、前記ヘッダ圧力値の上昇時における前記ボイラ群の燃焼量減少のタイミングを判断するための複数の圧力帯域に区分された第１制御圧力帯域を記憶する第１制御圧力帯域記憶部と、前記ヘッダ圧力値の上昇時における前記ボイラ群の燃焼量減少のタイミングを前記第１制御圧力帯域に基づいて制御する第１制御部と、前記第１制御圧力帯域の各圧力帯域を下方にずらして、前記ヘッダ圧力値の上昇時における前記ボイラ群の燃焼量減少のタイミングを前記第１制御圧力帯域の各圧力帯域より所定圧力分下げた、第２制御圧力帯域を記憶する第２制御圧力帯域記憶部と、前記ヘッダ圧力値の上昇時における前記ボイラ群の燃焼量減少のタイミングを前記第２制御圧力帯域に基づいて制御する第２制御部と、ハンチング又はハンチングの起因となる可能性のある前記ヘッダ圧力値の変動である疑似ハンチングを検出するハンチング検出部と、前記ハンチング検出部によりハンチング又は前記疑似ハンチングが検出し、その後ヘッダ圧力値が下降から上昇に転じた場合、前記ヘッダ圧力値の上昇時の前記ボイラ群の燃焼量減少のタイミングの制御を、前記第１制御部から前記第２制御部による制御に切り換える、制御切換部と、を備えるボイラシステムに関する。
【００１９】
また、前記ハンチング検出部は、前記ヘッダ圧力値が、前記制御装置が前記複数のボイラを全缶停止する閾値として予め設定された制御上限圧力値と前記設定圧力範囲の上限圧力値との間に予め設定された第２制御上限圧力値を超える又は第２制御上限圧力値以上となる回数が、第１の時間の間に第１の回数以上発生する変動を擬似ハンチング状態として検出することを含むことが好ましい。
【００２０】
また、前記ハンチング検出部は、前記ヘッダ圧力値が、前記設定圧力範囲の下限圧力値との偏差の絶対値が第１閾値以下となるように予め設定された第２制御下限圧力値を下回る又は第２制御下限圧力値以下となる回数が、第２の時間の間に、第２の回数以上発生する変動を擬似ハンチング状態として検出することを含むことが好ましい。
【００２１】
また、前記ハンチング検出部は、前記ヘッダ圧力値が降下する際の圧力降下幅が予め設定された圧力降下幅値を超えるか、又は圧力降下幅値以上となる回数が、第３の時間の間に、第３の回数以上発生する変動を擬似ハンチング状態として検出することを含むことが好ましい。
【発明の効果】
【００２２】
本発明によれば、ヘッダ圧力値が、予め設定された設定圧力範囲に収まるように、複数台のボイラからなるボイラ群の燃焼状態を制御する制御部を備えるボイラシステムにおいて、ヘッダ圧力に所定の条件を満たす急激な下降が発生した場合、ヘッダ圧力を速やかに設定圧力範囲内に収束させることで、ハンチング現象を未然に防止し、ハンチング現象が発生した場合には、ハンチング現象を速やかに収束させることができるボイラシステムを提供することができる。
【００２３】
また、本発明によれば、蒸気の供給を行っているボイラが何らかの原因で異常停止して、燃焼ボイラ不足が発生した場合、また想定を上回る急激な負荷増加が発生して、蒸気の供給が間に合わない事態が発生した場合等において、ヘッダ圧力に急激な下降が発生した場合、また、ハンチングの起因となる可能性のあるヘッダ圧力の変動が発生した場合、ヘッダ圧力を速やかに設定圧力範囲内に収束させることで、ハンチング現象を未然に防止し、ハンチング現象が発生した場合には、ハンチング現象を速やかに収束させることができるボイラシステムを提供することができる。
【図面の簡単な説明】
【００２４】
【図１】第１実施形態に係るボイラシステムの概略を示す図である。
【図２】第１実施形態に係る段階値制御ボイラの燃焼位置の概略を示す図である。
【図３Ａ】第１実施形態におけるボイラ群２の、ヘッダ圧力値の上昇時の燃焼量減少のタイミングを判断するための複数の圧力帯域に区分された第１制御圧力帯域を示す図である。
【図３Ｂ】第１実施形態におけるボイラ群２の、ヘッダ圧力値の上昇時の燃焼量減少のタイミングを判断するための複数の圧力帯域に区分された第２制御圧力帯域を示す図である。
【図３Ｃ】第１実施形態におけるボイラ群２の、ヘッダ圧力値の上昇時の燃焼量減少のタイミングを判断するための複数の圧力帯域に区分された第３制御圧力帯域を示す図である。
【図４】第１実施形態における記憶部の構成を示す機能ブロック図である。
【図５】第１実施形態における制御部の構成を示す機能ブロック図である。
【図６】第１実施形態に係るボイラシステムの処理の流れを示すフローチャートの一例を示した図である。
【図７】第２実施形態における制御部の構成を示す機能ブロック図である。
【図８】第２実施形態に係るボイラシステムの処理の流れを示すフローチャートの一例を示した図である。
【発明を実施するための形態】
【００２５】
［第１実施形態］
以下、本発明のボイラシステムの好ましい各実施形態について、図面を参照しながら説明する。
まず、本実施形態に係るボイラシステム１の全体構成につき、図１を参照しながら説明する。
ボイラシステム１は、図１に示すように、複数（３台）の段階値制御ボイラ２０を含むボイラ群２と、これら複数の段階値制御ボイラ２０において生成された蒸気を集合させる蒸気ヘッダ６と、蒸気ヘッダ６の内部の圧力値（以下「ヘッダ圧力値」ともいう）を測定する蒸気圧センサ７と、ボイラ群２の燃焼状態を制御する制御部４を有する台数制御装置３と、を備える。
ボイラ群２は、負荷機器としての蒸気使用設備１８に供給する蒸気を発生する。
【００２６】
複数の段階値制御ボイラ２０のそれぞれは、燃焼が行われるボイラ本体２１と、段階値制御ボイラ２０の燃焼位置を制御するローカル制御部２２と、を備える。
ボイラ本体２１は、水管やバーナを備え、図示せぬ水源（給水タンク）から供給された缶水を水管内で加熱し、蒸気を生成する。
【００２７】
ローカル制御部２２は、蒸気消費量に応じて段階値制御ボイラ２０の燃焼位置を変更させる。具体的には、ローカル制御部２２は、信号線１６を介して台数制御装置３から送信される台数制御信号に基づいて、段階値制御ボイラ２０の燃焼位置を制御する。また、ローカル制御部２２は、台数制御装置３で用いられる信号を、信号線１６を介して台数制御装置３に送信する。台数制御装置３で用いられる信号としては、段階値制御ボイラ２０の実際の燃焼位置、及びその他のデータ等が挙げられる。
【００２８】
蒸気ヘッダ６は、蒸気管１１を介してボイラ群２を構成する複数の段階値制御ボイラ２０に接続されている。蒸気ヘッダ６の下流側は、蒸気管１２を介して蒸気使用設備１８に接続されている。
【００２９】
蒸気ヘッダ６は、ボイラ群２で生成された蒸気を集合させて貯留する。蒸気ヘッダ６は、燃焼させる１又は複数の段階値制御ボイラ２０の相互の圧力差及び圧力変動を調整し、蒸気圧力値が一定に調整された蒸気を蒸気使用設備１８に供給する。
【００３０】
蒸気圧センサ７は、信号線１３を介して、台数制御装置３に電気的に接続されている。蒸気圧センサ７は、蒸気ヘッダ６の蒸気圧力値（以下、「ヘッダ圧力値」ともいう）を測定し、その蒸気圧力値に対応する蒸気圧信号を、信号線１３を介して台数制御装置３に送信する。
【００３１】
台数制御装置３は、信号線１６を介して、複数の段階値制御ボイラ２０と電気的に接続されている。台数制御装置３は、蒸気圧センサ７により測定されるヘッダ圧力値に基づいて要求負荷に応じたボイラ群２の必要蒸気量を算出し、該算出された必要蒸気量に基づいて、ボイラ群２の内、制御対象となる段階値制御ボイラ２０（以下「制御対象ボイラ」ともいう）の燃焼位置（燃焼量）を制御する。
【００３２】
次に、ボイラシステム１を構成する複数の段階値制御ボイラ２０について説明する。図２は、ボイラシステム１を構成するボイラ群２の概略を示す図である。
図２に示すように、本実施形態の段階値制御ボイラ２０は、
１）燃焼停止位置（第１燃焼位置：０％）、
２）低燃焼位置Ｌ（第２燃焼位置：５０％）、
３）高燃焼位置Ｈ（第３燃焼位置：１００％（最大燃焼量））の段階的な燃焼位置を有する段階値制御ボイラ（以下、「３位置制御ボイラ」ともいう）である。
なお、段階値制御ボイラ２０の出力可能な最大蒸気量を最大出力蒸気量という。
【００３３】
以上のボイラシステム１の燃焼制御においては、圧力制御帯域は、複数の圧力帯域に区分される。そして、ボイラシステム１は、圧力帯域毎に対応する燃焼状態（燃焼位置）を設定しておき、ヘッダ圧力値がどの圧力帯域に対応するかによって各ボイラ２０の燃焼状態（燃焼位置）を決定することが行われる。
図３Ａは、本実施形態に係る各ボイラ２０の燃焼状態（燃焼位置）と、圧力制御帯域における複数の圧力帯域との関係を示す図である。
本実施形態においては、図３Ａに示すように、ボイラ２０の燃焼状態（燃焼位置）は、ボイラを高燃焼位置で燃焼させる高燃焼状態にする場合を「Ｈ」、低燃焼位置で燃焼させる低燃焼状態にする場合を「Ｌ」、燃焼停止状態にする場合を「−」として示す。
【００３４】
ボイラ２０の燃焼状態（燃焼位置）は、蒸気圧センサ７にて検出されるヘッダ圧力値が高くなるほど燃焼量の小さい燃焼状態（燃焼位置）が選択され、ヘッダ圧力値が低下するほど燃焼量の大きい燃焼状態（燃焼位置）が選択される。図３Ａに示すように、本実施形態では、圧力制御帯域は、ａ〜ｇの７つの圧力帯域に区分される。そして、ボイラシステム１は、圧力帯域毎に、対応する各ボイラ２０の燃焼状態（燃焼位置）を設定しておき、ヘッダ圧力値がどの圧力帯域に対応するかによって各ボイラ２０の燃焼状態（燃焼位置）を決定する。各ボイラ２０の燃焼状態（燃焼位置）は、７つの圧力帯域に対応して、７つ設定される。
【００３５】
より具体的には、図３Ａの左側に示すように、最上位の圧力帯域ａ（要求負荷が小さい場合）においては、全てのボイラ２０が燃焼停止位置（−）に位置し、最下位の圧力帯域ｇ（要求負荷が大きい場合）においては、全てのボイラ２０が高燃焼位置（Ｈ）に位置する。
【００３６】
図３Ａの左側には、圧力下降時に燃焼量増加を判断するための制御圧力帯域(以下、「圧力下降時制御圧力帯域」ともいう)、右側には圧力上昇時に燃焼量減少を判断するための制御圧力帯域(「第１制御圧力帯域」)がそれぞれ別に定義され、両者はディファレンシャル分だけずらされている。
すなわち、図３Ａの右側における、ヘッダ圧力値が上昇方向（負荷量が減少方向）のときに燃焼量の大きい燃焼状態（燃焼位置）Ｘから燃焼量の小さい燃焼状態（燃焼位置）Ｙへ移行する基準となるヘッダ圧力値と、図３Ａの左側における、ヘッダ圧力値が下降方向（負荷量が増加方向）のときに燃焼量の小さい燃焼状態（燃焼位置）Ｙから燃焼量の大きい燃焼状態（燃焼位置）Ｘへ移行する基準となるヘッダ圧力値との間には、前者（上昇時）が後者（下降時）より大きくなるように所定の差（ディファレンシャル）を設けている。
仮にディファレンシャルを設けないとすると、ヘッダ圧力値が燃焼量増減ラインで前後した場合に、燃焼状態（燃焼位置）が頻繁に変化する可能性があり、このような変化を避けるために、ディファレンシャルを通常設けている。
なお、第１制御圧力帯域は、通常時に用いる制御圧力帯域である。
【００３７】
複数のボイラ２０には、それぞれ優先順位が設定されている。優先順位は、燃焼指示や燃焼停止指示を行うボイラを選択するために用いられる。優先順位は、例えば整数値を用いて、数値が小さいほど優先順位が高くなるよう設定することができる。図２に示すように、ボイラ２０の１号機〜３号機のそれぞれに「１」〜「３」の優先順位が割り当てられている場合、１号機の優先順位が最も高く、３号機の優先順位が最も低い。この優先順位は、後述の制御部４の制御により、所定の時間間隔（例えば、２４時間間隔）で変更される。
【００３８】
本実施形態では、図３Ａの左側（圧力下降時制御圧力帯域）に示すように、最上位の圧力帯域ａから最下位の圧力帯域ｇに向けて蒸気圧が低下していく場合、通常、最も優先順位が高いボイラ（ここでは１号ボイラ）が燃焼停止状態（−）から低燃焼状態（Ｌ）に変更された後に、次に順位が高いボイラ（ここでは２号ボイラ）が燃焼停止状態（−）から低燃焼状態（Ｌ）に変更される。そして、全てのボイラ２０が低燃焼状態（Ｌ）に変更された後に、最も優先順位が高いボイラ２０（ここでは１号ボイラ）が低燃焼状態（Ｌ）から高燃焼状態（Ｈ）に変更される。
【００３９】
逆に図３Ａの右側（第１制御圧力帯域）に示すように、最下位の圧力帯域ｇから最上位の圧力帯域ａに向けて蒸気圧が上昇していく場合、通常、最も優先順位が低いボイラ（ここでは３号ボイラ）が高燃焼状態（Ｈ）から低燃焼状態（Ｌ）に変更された後に、次に順位が高いボイラ（ここでは２号ボイラ）が高燃焼状態（Ｈ）から低燃焼状態（Ｌ）に変更される。そして、全てのボイラ２０が低燃焼状態（Ｌ）に変更された後に、最も優先順位が低いボイラ２０（ここでは３号ボイラ）が低燃焼状態（Ｌ）から燃焼停止状態（−）に変更される。
【００４０】
段階値制御ボイラ２０の燃焼又はその停止は、仮想ボイラ単位で扱うことができる。仮想ボイラとは、ボイラにおける燃焼位置（燃焼量）の違い（低燃焼位置、高燃焼位置）をそれぞれ独立したボイラとみなし、それぞれの燃焼位置における蒸気量とその１段階下位の燃焼位置における蒸気量との差分蒸気量をボイラに仮想したものである。
例えば、図２に示すように、３位置制御ボイラは、低燃焼量ボイラ、（高燃焼量−低燃焼量）ボイラの２台の仮想ボイラからなるとすることができる。例えば、３位置制御ボイラを低燃焼位置で燃焼させる場合、低燃焼量ボイラに対して燃焼指示を行い、他方、（高燃焼量−低燃焼量）ボイラに対しては燃焼停止指示を行っていると制御上扱うことができる。
【００４１】
そうすると、ボイラ群２の制御対象となる複数の段階値制御ボイラ２０の燃焼位置の燃焼順序である燃焼優先順位は、制御対象となる段階値制御ボイラ２０を、低燃焼量ボイラ、（高燃焼量−低燃焼量）ボイラの２台の仮想ボイラからなるとした場合に、制御対象となる複数の段階値制御ボイラ２０を構成する複数の仮想ボイラの燃焼指示や燃焼停止指示を行う際の優先順位（以下、「仮想ボイラ優先順位」という）と同等のものであるということができる。
【００４２】
次に、台数制御装置３の構成について詳細に説明する。台数制御装置３は、図１に示すように、制御手段としての制御部４と、記憶部５と、を備える。
【００４３】
制御部４は、ボイラ群２の比例分配制御による燃焼制御を行うが、ヘッダ圧力値の下降時のボイラ群２の燃焼量増加のタイミングを判断するための複数の圧力帯域に区分された圧力下降時制御圧力帯域、並びにヘッダ圧力値の上昇時のボイラ群２の燃焼量減少のタイミングを判断するための複数の圧力帯域に区分された第１制御圧力帯域、第２制御圧力帯域、及び第３制御圧力帯域に基づいて、各ボイラ２０の燃焼状態（燃焼位置）を制御する。
制御部４の詳細については、後述する。
なお第１制御圧力帯域、第２制御圧力帯域、及び第３制御圧力帯域については、記憶部５の説明と一緒に行う。
【００４４】
記憶部５の構成を図５に示す。図４に示すように、記憶部５は、第１制御圧力帯域記憶部５１と、第２制御圧力帯域記憶部５２と、第３制御圧力帯域記憶部５３と、を含む。
第１制御圧力帯域記憶部５１、第２制御圧力帯域記憶部５２、及び第３制御圧力帯域記憶部５３は、それぞれヘッダ圧力値の上昇時のボイラ群２の燃焼量減少のタイミングを判断するための複数の圧力帯域に区分された第１制御圧力帯域、第２制御圧力帯域、及び第２制御圧力帯域を記憶する。
【００４５】
前述したとおり、第１制御圧力帯域は、通常時に用いる制御圧力帯域である。
【００４６】
第２制御圧力帯域は、図３Ｂに示すように、第１制御圧力帯域の各圧力帯域を下方にずらして、ヘッダ圧力値の上昇時のボイラ群２の燃焼量減少のタイミングを第１制御圧力帯域の各圧力帯域より所定圧力分下げた、制御圧力帯域である。
こうすることで、第２制御圧力帯域は、ディファレンシャルがなくなるように構成されたが、ディファレンシャルが小さくなるように第２制御圧力帯域を定めるようにしてもよい。なお、第２制御圧力帯域の上限値は、第１制御圧力帯域の上限値と等しいことが好ましい。
【００４７】
第３制御圧力帯域は、図３Ｃに示すように、第２制御圧力帯域の各圧力帯域をさらに下方にずらして、ヘッダ圧力値の上昇時のボイラ群２の燃焼量減少のタイミングを第２制御圧力帯域の各圧力帯域より所定圧力分下げた、制御圧力帯域である。なお、第３制御圧力帯域の上限値は、第１制御圧力帯域の上限値と等しいことが好ましい。
【００４８】
図３Ｃに記載のとおり、第３制御圧力帯域は、第２制御圧力帯域の各圧力帯域をさらに下方にずらして、ヘッダ圧力値の上昇時のボイラ群２の燃焼量減少のタイミングを第２制御圧力帯域の各圧力帯域より所定圧力分下げている。
こうすることで、第３制御圧力帯域は、圧力下降時制御圧力帯域と、ディファレンシャルが逆転するように構成される。
【００４９】
このほか、記憶部５は、後述する第１圧力値、台数制御装置３（制御部４）の制御により各段階値制御ボイラ２０に対して行われた指示の内容、各段階値制御ボイラ２０から受信した燃焼位置等の情報の設定情報、優先順位の変更（ローテーション）に関する設定の情報を記憶する。
【００５０】
次に、制御部４の構成について詳細に説明する。
第１実施形態では、制御部４は、ヘッダ圧力値に所定の条件を満たす下降が発生し、その後ヘッダ圧力値が下降から上昇に転じた場合に、圧力上昇時の燃焼量減少判断用の第１制御圧力帯域に換えて、第２制御圧力帯域又は第３制御圧力帯域に基づいて、通常時よりも早いタイミングで燃焼量を削減するように構成される。
【００５１】
このような制御を実現するため、図５に示すように、制御部４は、第１制御部４１と、第２制御部４２と、第３制御部４３と、必要蒸気量算出部４４と、第１検出部４５と、第２検出部４６と、制御切換部４７と、を含んで構成される。
【００５２】
＜第１制御部４１＞
第１制御部４１は、ヘッダ圧力値の上昇時のボイラ群２の燃焼量減少のタイミングを第１制御圧力帯域に基づいて制御する。なお、前述したように、第１制御圧力帯域は、従来の比例分配制御で用いられるものであって、圧力下降時制御圧力帯域よりもディファレンシャル分だけずらしている。
【００５３】
すなわち、図３Ａを参照すると、ヘッダ圧力値が上昇時には、２つの圧力帯域（ｆ、ｇ）にまたがって、１号機〜３号機の全台が高燃焼位置（Ｈ）に位置、最大燃焼状態のまま推移することになる。
そして、ヘッダ圧力値が圧力帯域ｆの上限値（すなわち圧力帯域ｅの下限値）に達すると、始めて３号機が低燃焼位置（Ｌ）に位置することで、ボイラ群２の燃焼量を減少させる。
このように、第１制御部４１による制御は、ヘッダ圧力が下降から上昇に転じた場合であっても、ボイラ群２は、２つの圧力帯域（ｆ、ｇ）にまたがって、最大燃焼状態のまま推移する。
【００５４】
＜第２制御部４２＞
これに対して、第２制御部４２は、ヘッダ圧力値の上昇時のボイラ群２の燃焼量減少のタイミングを早める。
すなわち、図３Ｂを参照すると、ヘッダ圧力値が上昇時には、圧力帯域（ｇ）においてのみ、１号機〜３号機の全台が高燃焼位置（Ｈ）に位置する。
そして、ヘッダ圧力値が圧力帯域ｇの上限値（すなわち圧力帯域ｆの下限値）に達すると、３号機を低燃焼位置（Ｌ）に位置させることで、ボイラ群２の燃焼量を減少させる。
その後、圧力帯域毎に、第１制御部４１による制御よりも早いタイミングで燃焼量を減少させる。
このように、第２制御部４２による制御は、ヘッダ圧力が下降から上昇に転じた場合、ボイラ群２は、圧力帯域ｆにおいてのみ、最大燃焼状態である。
その後、第１制御部４１による制御よりも早いタイミングで、出力蒸気量を減少させることができる。
【００５５】
＜第３制御部４３＞
これに対して、第３制御部４３は、ボイラ群２の燃焼量減少のタイミングを第２制御部４２による燃焼量減少のタイミングよりも、さらに早めるものである。
すなわち、図３Ｃを参照すると、第３制御圧力帯域は、圧力下降時制御圧力帯域と、ディファレンシャルが逆転するように構成される。
ヘッダ圧力値が上昇時には、圧力帯域（ｇ１）においてのみ、１号機〜３号機の全台が高燃焼位置（Ｈ）に位置し、ヘッダ圧力値がｇ１の上限値（ｆ１の下限値）に達すると、３号機が低燃焼位置（Ｌ）に位置することで、ボイラ群２の燃焼量を減少させる。
その後、圧力帯域毎に、燃焼量を減少させる。
なお、ｇ１の上限値（ｆ１の下限値）は、圧力帯域ｇの範囲内に位置することから、第２制御部４２よりもより早く、燃焼量を減少させることができる。
このように、第３制御部４３による制御は、ヘッダ圧力が下降から上昇に転じた場合、第１制御部４１による燃焼量減少のタイミング及び第２制御部４２による燃焼量減少のタイミングと比べて、圧力上昇時に、より早いタイミングで、燃焼量を減少させることができる。
【００５６】
＜必要蒸気量算出部４４＞
必要蒸気量算出部４４は、制御周期毎に、ヘッダ圧力値と設定圧力範囲の上限圧力値との差分である圧力偏差に基づいて、比例分配制御方式により、必要蒸気量ＭＶｎを算出する。
具体的には、必要蒸気量算出部４４は、制御周期毎に、ボイラ群２を構成するボイラ２０それぞれに予め設定された最大燃焼状態（高燃焼位置）における蒸気量（最大出力蒸気量）の合計値に対して、ヘッダ圧力値の圧力偏差（設定圧力範囲の上限圧力値とヘッダ圧力値との差分）を制御幅で除算した比率を乗算することで、必要蒸気量ＭＶｎを算出する。
【００５７】
次に、ハンチングが発生する可能性のある状態の類型を説明するとともに、ハンチングが発生する可能性のある状態を検出する第１検出部４５及び第２検出部４６について説明する。
【００５８】
＜第１検出部４５＞
第１検出部４５は、ハンチングが発生する可能性のある、ヘッダ圧力値に所定の条件を満たす下降が発生し、その後ヘッダ圧力値が下降から上昇に転じた変動状態（以下、「第１状態」という）を検出する。
ハンチングの発生する１つの要因としては、蒸気負荷が低いときに、わずかな圧力変化に対して必要以上に操作量が過剰に算出されることが挙げられる。
具体的には、低負荷時において、例えば、全台待機からのヘッダ圧力値低下の際、必要以上のボイラに対し燃焼指示を出してしまい、その後、一部ボイラが燃焼を開始し、ヘッダ圧力値が上昇に転じた後も、燃焼量を増やしすぎるため、圧力変動が急激に上下動し、ハンチングが発生すると考えられる。
第１実施形態においては、ハンチングが発生する可能性のある、ヘッダ圧力値に所定の条件を満たす下降が発生し、その後ヘッダ圧力値が下降から上昇に転じた変動状態（第１状態）を検出することで、ボイラ群２の燃焼量を減少させ、ヘッダ圧力値が制御上限圧力値を超えて、全缶停止及びハンチングを起こすことを未然に防止することを可能にする。
次に、第１状態の類型について説明する。
【００５９】
［第１状態の類型（１）］
ヘッダ圧力値が、オーバーシュートしたこと（例えば、設定圧力範囲の上限圧力値以上となること）に起因してヘッダ圧力値が下降する状態、又はヘッダ圧力値が下降してアンダーシュートすること（例えば、設定圧力範囲の下限圧力値以下となること）によりヘッダ圧力値が下降する状態が発生し、その後ヘッダ圧力値が下降から上昇に転じる変動状態を第１状態の一種としてとらえる。
この場合、ヘッダ圧力値が下降から上昇に転じた以降も、仮に燃焼量を増やしすぎた場合、ハンチングを起こす可能性があると考えられる。
第１検出部４５は、ヘッダ圧力値がオーバーシュートしたことに起因するヘッダ圧力値の下降、又はヘッダ圧力値が下降してアンダーシュートすることによるヘッダ圧力値の下降を、ヘッダ圧力値に所定の条件を満たす下降が発生したととらえ、その後ヘッダ圧力値が下降から上昇に転じる変動状態（第１状態）を検出するように構成される。
【００６０】
［第１状態の類型（２）］
ヘッダ圧力値が制御上限圧力値を超えることに起因してヘッダ圧力値が下降する状態、又はヘッダ圧力値が制限下限圧力値（通常制御であれば到達しない下限圧力）を下回ることに起因してヘッダ圧力値が下降する状態が発生し、その後ヘッダ圧力値が下降から上昇に転じる変動状態を第１状態の一種としてとらえることができる。
この場合も、ヘッダ圧力値が下降から上昇に転じた以降も、仮に燃焼量を増やしすぎた場合、ハンチングを起こす可能性があると考えられる。
第１検出部４５は、ヘッダ圧力値が制御上限圧力値を超えることに起因するヘッダ圧力値の下降、又はヘッダ圧力値が制限下限圧力値（通常制御であれば到達しない下限圧力）を下回ることに起因するヘッダ圧力値の下降を、ヘッダ圧力値に所定の条件を満たす下降が発生したととらえ、その後ヘッダ圧力値が下降から上昇に転じる変動状態（第１状態）を検出するように構成される。
【００６１】
［第１状態の類型（３）］
ヘッダ圧力値が制御上限圧力値を超えた場合に、全てのボイラ２０を全台待機とすることに起因してヘッダ圧力値が下降する状態が発生し、その後ヘッダ圧力値が下降から上昇に転じる変動状態を第１状態の一種としてとらえることができる。
この場合も、ヘッダ圧力値が下降から上昇に転じた以降も、仮に燃焼量を増やしすぎた場合、ハンチングを起こす可能性があると考えられる。
第１検出部４５は、ヘッダ圧力値が制御上限圧力値を超えた場合に、全てのボイラ２０を全台待機とすることに起因するヘッダ圧力値の下降を、ヘッダ圧力値に所定の条件を満たす下降が発生したととらえ、その後ヘッダ圧力値が下降から上昇に転じる変動状態（第１状態）を検出するように構成される。
【００６２】
［第１状態の類型（４）］
蒸気の供給を行っている全てのボイラ２０の最大出力蒸気量の合計値が、必要蒸気量算出部４４により算出される現時点の必要蒸気量ＭＶｎを下回る状態で、ヘッダ圧力値が減少し、ヘッダ圧力値が所定圧力を下回る場合にハンチング現象が発生する可能性がある。
【００６３】
給蒸中の全てのボイラの最大出力蒸気量の合計値が、必要蒸気量算出部４４により算出される現時点の必要蒸気量ＭＶｎを下回る状態について、具体的な例をいくつか説明する。
【００６４】
［給蒸中のボイラが外的要因で燃焼停止した場合］
例えば、ボイラ２０の最大出力蒸気量を７０００ｋｇ／ｈ（すなわち、ボイラ２０は７ｔボイラ）、及び必要蒸気量算出部４４により算出される現時点の必要蒸気量ＭＶｎを８ｔ／ｈと仮定する。
【００６５】
例えば、給蒸中のボイラ２０が２台あり、そのうち１台が異常停止した場合、給蒸中の全てのボイラの最大出力蒸気量の合計値は、７ｔ／ｈ×１＝７ｔ／ｈとなる。他方、現時点の必要蒸気量ＭＶｎを８ｔ／ｈとしたことから、給蒸中の全てのボイラの最大出力蒸気量の合計値７ｔ／ｈは、必要蒸気量算出部４４により算出される現時点の必要蒸気量ＭＶｎ（８ｔ／ｈ）を下回る。この場合、給蒸中の全てのボイラの最大出力蒸気量の合計値（７ｔ／ｈ）は、必要蒸気量算出部４４により算出される現時点の必要蒸気量ＭＶｎ（８ｔ／ｈ）を下回る状態に該当する。
このように、給蒸中のボイラ２０のうち１台が異常停止した場合に、給蒸中の全てのボイラの最大出力蒸気量の合計値が、必要蒸気量算出部４４により算出される現時点の必要蒸気量ＭＶｎを下回る状態が発生する可能性がある。そして、ヘッダ圧力値が減少することで、所定圧力を下回るとハンチング現象が発生する可能性がある。
【００６６】
［想定を上回る急激な負荷増加が発生し、蒸気供給が間に合わない場合］
例えば、給蒸中のボイラ２０を２台とし、要求負荷が急激に増加して、必要蒸気量ＭＶｎが、例えば、１５ｔ／ｈになった場合、給蒸中の全てのボイラの最大出力蒸気量の合計値は、７ｔ／ｈ×２＝１４ｔ／ｈとなる。給蒸中の全てのボイラの最大出力蒸気量の合計値１４ｔ／ｈは、必要蒸気量算出部４４により算出される現時点の必要蒸気量ＭＶｎ（１５ｔ／ｈ）を下回る状態に該当する。
このように、想定を上回る急激な負荷増加が発生した場合に、給蒸中の全てのボイラ２０の最大出力蒸気量の合計値が、必要蒸気量算出部４４により算出される現時点の必要蒸気量ＭＶｎを下回る状態が発生する可能性がある。そして、ヘッダ圧力値が減少することで、所定圧力を下回るとハンチング現象が発生する可能性がある。
【００６７】
このように、蒸気の供給を行っている全てのボイラ２０の最大出力蒸気量の合計値が、必要蒸気量算出部４４により算出される現時点の必要蒸気量ＭＶｎを下回る状態で、ヘッダ圧力値が所定圧力を下回り、その後ヘッダ圧力値が下降から上昇に転じる変動状態を第１状態の一種としてとらえる。
この場合、ヘッダ圧力値が下降から上昇に転じた以降も、仮に燃焼量を増やしすぎた場合、ハンチングを起こす可能性があると考えられる。
第１検出部４５は、蒸気の供給を行っている全てのボイラ２０の最大出力蒸気量の合計値が、必要蒸気量算出部４４により算出される現時点の必要蒸気量ＭＶｎを下回る状態で、ヘッダ圧力値が所定圧力を下回ることに起因するヘッダ圧力値の下降を、ヘッダ圧力値に所定の条件を満たす下降が発生したととらえ、その後ヘッダ圧力値が下降から上昇に転じる変動状態（第１状態）を検出するように構成される。
【００６８】
以上のように、第１検出部４５は、前述した第１状態を検出するように構成される。
次に、第２検出部４６について説明する。
【００６９】
＜第２検出部４６＞
第２検出部４６は、第１検出部４５により第１状態が検出された場合、さらに、ヘッダ圧力値の下降の時間に対する勾配値が予め設定された所定の勾配値よりも大きい値となるか、又はヘッダ圧力値の下降値が予め設定した所定の下降値よりも小さい値となることを検出する（以下、検出された状態を「第２状態」ともいう）。
第２状態は、第１検出部４５により検出された第１状態よりもさらに、激しいハンチング発生（全台待機）の可能性があるケースということができる。
【００７０】
＜制御切換部４７＞
制御切換部４７は、第１検出部４５により第１状態が検出された場合、ヘッダ圧力値の上昇時のボイラ群２の燃焼量減少のタイミングの制御を第１制御部４１による制御から第２制御部４２による制御に切り換える。
こうすることで、図３Ｂに示すように、ヘッダ圧力値が圧力帯域ｇの上限値（すなわち圧力帯域ｆの下限値）に達すると、３号機が低燃焼位置（Ｌ）に位置することで、ボイラ群２の燃焼量を減少させ、その後、圧力帯域毎に、燃焼量を減少させるように制御する。
このように、第２制御部４２による制御により、第１制御部４１による制御より早いタイミングで、出力蒸気量を減少させることができる。
【００７１】
また、制御切換部４７は、第２検出部４６により第２状態が検出された場合、ヘッダ圧力値の上昇時のボイラ群２の燃焼量減少のタイミングの制御を第３制御部４３による制御に切り換える。
こうすることで、図３Ｃに示すように、ヘッダ圧力値が圧力帯域ｇ１の上限値（ｆ１の下限値）に達すると、３号機が低燃焼位置（Ｌ）に位置することで、ボイラ群２の燃焼量を減少させ、その後、圧力帯域毎に、燃焼量を減少させるように制御される。
ここで、圧力帯域ｇ１の上限値は、圧力帯域ｇの範囲内に位置することから、第２制御部４２による制御よりも早いタイミングで、燃焼量を減少させることができる。
このように、第３制御部４３による制御により、第１制御部４１による制御及び第２制御部４２による制御よりも早いタイミングで、出力蒸気量を減少させることができる。
【００７２】
以上のように、第１検出部４５により第１状態が検出された場合、制御切換部４７により、第１制御部４１による制御を第２制御部４２による制御に切り換えることで、第１制御部４１による制御よりも早いタイミングで、出力蒸気量を減少させることができる。
同様に、第２検出部４６により第２状態が検出された場合、制御切換部４７により、第１制御部４１による制御を第３制御部４３による制御に切り換えることで、第２制御部４２による制御よりもさらに早いタイミングで、出力蒸気量を減少させることができる。
そうすることで、ボイラシステム１は、圧力変動の急激な上下動を抑制して、ヘッダ圧力値を速やかに設定圧力範囲内の値に収束させ、ハンチング現象を未然に防止し、ハンチング現象が発生した場合には、ハンチング現象を速やかに収束させることができる。
【００７３】
なお、圧力変動の急激な上下動を抑制して、ヘッダ圧力値が設定圧力範囲内の値に収束しているときに、仮にヘッダ圧力値が燃焼量増減ラインで前後した場合に、第２制御部４２又は第３制御部４３による制御のままでは、燃焼状態（燃焼位置）が頻繁に変化する可能性がある。したがって、このような場合、制御切換部４７により、通常のディファレンシャルに戻すことが好ましい。
【００７４】
すなわち、制御切換部４７は、ヘッダ圧力値の上昇時のボイラ群２の燃焼量減少のタイミングの制御を第２制御部４２又は第３制御部４３による制御に切り換えた後、ヘッダ圧力値が設定圧力範囲の上限圧力値に達することなく、下降に転じた場合に、ヘッダ圧力値の上昇時のボイラ群２の燃焼量減少のタイミングの制御を第１制御部４１による制御に切り換えることとする。
こうすることで、ヘッダ圧力値が設定圧力範囲内の値に収束しているときに、ヘッダ圧力値が燃焼量増減ラインで前後した場合に、燃焼状態（燃焼位置）が頻繁に変化しないようにすることができる。
以上、第１実施形態のボイラシステム１に係る制御部４の機能について説明した。
【００７５】
次に、第１実施形態のボイラシステム１の動作について、図６を参照して説明する。図６は、ボイラシステム１の制御の流れを示すフローチャートである。
【００７６】
ステップＳＴ１において、制御部４は、第１検出フラグデータ及び第２検出フラグデータのリセット等の初期設定をする。また、制御部４は、ヘッダ圧力値の上昇時のボイラ群２の燃焼量減少のタイミングを、第１制御部４１により制御するように初期設定する。
なお、第１検出フラグデータ及び第２検出フラグデータは、レジスタ、ビットメモリ等を適宜用い、それぞれ、第１検出部４５が第１状態を判定した場合、及び第２検出部４６が第２状態を判定した場合に、セットされる。
【００７７】
ステップＳＴ２において、制御部４は、制御周期毎にヘッダ圧力値が設定圧力範囲に収まるように、ボイラ群２の燃焼状態を制御する。
【００７８】
ステップＳＴ３において、第１検出フラグデータ又は第２検出フラグがセットされているか否かを判定し、第１検出フラグデータ又は第２検出フラグがセットされている場合（Ｙｅｓ）には、ステップＳＴ１０に移る。一方、第１検出フラグデータ及び第２検出フラグがセットされていない場合（Ｎｏ）には、ステップＳＴ４に移る。
【００７９】
ステップＳＴ４において、第１検出部４５は、第１状態を検出したか否かを判定し、第１状態を検出した場合（Ｙｅｓの場合）、ステップＳＴ５に移る。検出していない場合（Ｎｏの場合）、ステップＳＴ２に戻る。
【００８０】
ステップＳＴ５において、第１検出部４５は、第１検出フラグデータをセットする。
【００８１】
ステップＳＴ６において、第２検出部４６は、第２状態を検出したか否かを判定し、第２状態を検出した場合（Ｙｅｓの場合）、ステップＳＴ８に移る。検出していない場合（Ｎｏの場合）、ステップＳＴ７へ移る。
【００８２】
ステップＳＴ７において、制御切換部４７は、ヘッダ圧力値の上昇時のボイラ群２の燃焼量減少のタイミングの制御を第１制御部４１による制御から第２制御部４２による制御に切り換える。その後ステップＳＴ２に戻る。
【００８３】
ステップＳＴ８において、第２検出部４６は、第２検出フラグデータをセットする。
【００８４】
ステップＳＴ９において、制御切換え部４７は、ヘッダ圧力値の上昇時のボイラ群２の燃焼量減少のタイミングの制御を第３制御部４３による制御に切り換える。その後ステップＳＴ２に戻る。
【００８５】
ステップＳＴ１０において、制御部４は、ヘッダ圧力値が設定圧力範囲の上限圧力値に達することなく下降に転じたか否かを判定し、ヘッダ圧力値が設定圧力範囲の上限圧力値に達することなく下降に転じた場合（Ｙｅｓの場合）、ステップＳＴ１１に進む。そうでない場合（Ｎｏの場合）、ステップＳＴ２に戻る。
【００８６】
ステップＳＴ１１において、制御部４は、第２検出フラグデータ及び第２検出フラグデータをリセットする。
【００８７】
ステップＳＴ１２において、制御切換部４７は、ヘッダ圧力値の上昇時のボイラ群２の燃焼量減少のタイミングの制御を第１制御部４１による制御に切り換える。その後、ＳＴ２に戻る。
【００８８】
以上のように、第１実施形態に係る比例分配制御方式を用いるボイラシステム１は、ヘッダ圧力値に所定の条件を満たす下降が発生し、その後ヘッダ圧力値が下降から上昇に転じたときに、ヘッダ圧力値の上昇時のボイラ群２の燃焼量減少のタイミングの制御を、第１制御部４１から第２制御部４２による制御に切り換える処理を実行する。
これにより、第１実施形態に係る比例分配制御方式を用いるボイラシステム１は、ヘッダ圧力値が下降から上昇に転じた時点以降で、第１制御部４１による制御より早いタイミングで、出力蒸気量を減少させることができ、ボイラシステム１の出力蒸気量は、蒸気消費量（要求負荷）の変動に速やかに追従することができる。その結果、ボイラシステム１は、圧力変動の急激な上下動を抑制して、ヘッダ圧力値を速やかに設定圧力範囲内の値に収束させ、ハンチングの発生を回避することができ、圧力安定性を向上させることができる。
【００８９】
また、ヘッダ圧力値がオーバーシュートしたことに起因してヘッダ圧力値が急下降する場合においても、第１実施形態に係るボイラシステム１は、上記と同様の動作を行うことで、同様の効果が得られる。
【００９０】
また、ヘッダ圧力値が下降してアンダーシュートする場合においても、第１実施形態に係るボイラシステム１は、上記と同様の動作を行うことで、同様の効果が得られる。
【００９１】
また、ヘッダ圧力値が、設定圧力範囲の上限圧力値以上の値である制御上限圧力値を超えること、又はヘッダ圧力値が設定圧力範囲の下限圧力値以下の値である制御下限圧力値を下回る場合においても、第１実施形態に係るボイラシステム１は、上記と同様の動作を行うことで同様の効果が得られる。
【００９２】
また、ヘッダ圧力値が制御上限圧力値を超えた場合に、複数のボイラを全台待機とする場合においても、第１実施形態に係るボイラシステム１は、上記と同様の動作を行うことで同様の効果が得られる。
【００９３】
第１実施形態に係る比例分配制御方式を用いるボイラシステム１は、例えば、給蒸中のボイラが外的要因で燃焼停止した場合、又は想定を上回る急激な負荷増加が発生し、蒸気供給が間に合わなくなり、給蒸中の全てのボイラ２０の最大出力蒸気量の合計値が、必要蒸気量算出部４４により算出される現時点の必要蒸気量ＭＶｎを下回る状態で、ヘッダ圧力値が予め設定された第１圧力値を下回る状態が発生した場合においても、ヘッダ圧力値が下降から上昇に転じたときに、ヘッダ圧力値の上昇時のボイラ群２の燃焼量減少のタイミングの制御を、第１制御部４１から第２制御部４２による制御に切り換える処理を実行する。
これにより、給蒸中の全てのボイラ２０の最大出力蒸気量の合計値が、必要蒸気量算出部４４により算出される現時点の必要蒸気量ＭＶｎを下回る状態で、ヘッダ圧力値が予め設定された第１圧力値を下回る状態が発生した場合においても、第１実施形態に係るボイラシステム１は、上記と同様の動作を行うことで同様の効果が得られる。
【００９４】
第１実施形態に係る比例分配制御方式を用いるボイラシステム１は、ヘッダ圧力値に所定の条件を満たす下降が発生し、その後ヘッダ圧力値が下降から上昇に転じたときであって、ヘッダ圧力値の下降の時間に対する勾配値が予め設定された所定の勾配値よりも大きい値となるか、又はヘッダ圧力値の下降値が予め設定した所定の下降値よりも小さい値となる第２状態を検出した場合、ヘッダ圧力値の上昇時のボイラ群２の燃焼量減少のタイミングの制御を、第１制御部４１から第３制御部４３による制御に切り換える処理を実行する。
これにより、第１実施形態に係る比例分配制御方式を用いるボイラシステム１は、ヘッダ圧力値が下降から上昇に転じた時点以降で、第３制御部４３により制御することで、第２制御部４２による制御より早いタイミングで、出力蒸気量を早く減少させることができ、ボイラシステム１の出力蒸気量は、蒸気消費量（要求負荷）の変動に速やかに追従することができる。その結果、ボイラシステム１は、圧力変動の急激な上下動を抑制して、ヘッダ圧力値を速やかに設定圧力範囲内の値に収束させ、ハンチングの発生を回避することができ、圧力安定性を向上させることができる。
【００９５】
また、制御切換部４７は、さらに、制御切換部４７により、ヘッダ圧力値の上昇時のボイラ群２の燃焼量減少のタイミングの制御を第２制御部４２又は第３制御部４３による制御に切り換えた後、ヘッダ圧力値が設定圧力範囲の上限圧力値に達することなく、下降に転じた場合に、ヘッダ圧力値の上昇時のボイラ群２の燃焼量減少のタイミングの制御を第１制御部４１による制御に切り換える処理を実行する。
これにより、ヘッダ圧力値が設定圧力範囲内の値に収束しているときに、仮にヘッダ圧力値が燃焼量増減ラインで前後した場合に、燃焼状態（燃焼位置）が頻繁に変化しないようにすることができる。
【００９６】
〔第２実施形態〕
次に、本発明の第２実施形態について説明する。後述するように、第２実施形態においては、擬似ハンチングを検出することで、ヘッダ圧力値が制御上限圧力値を超えて、全缶停止及びハンチングを起こすことを未然に防止することを可能にする。
第２実施形態については、主として、第１実施形態と異なる点を中心に説明し、第１実施形態と同様な構成については詳細な説明を省略する。第２実施形態において、特に説明しない点は、第１実施形態についての説明が適宜適用される。また、第２実施形態においても、第１実施形態と同様な効果が奏される。
【００９７】
＜制御部４Ａの構成＞
制御部４Ａの詳細な構成について説明する。図７に示すように、制御部４Ａは、第１制御部４１Ａと、第２制御部４２Ａと、ハンチング検出部４３Ａと、制御切換部４４Ａと、を含んで構成される。
【００９８】
第１制御部４１Ａの機能、及び第２制御部４２Ａの機能は、それぞれ第１実施形態における第１制御部４１Ａの機能、及び第２制御部４２Ａの機能と同じである。
【００９９】
＜ハンチング検出部４３Ａ＞
ハンチング検出部４３Ａは、ハンチング又はハンチングの起因となる可能性のあるヘッダ圧力値の変動である疑似ハンチングを検出する。
擬似ハンチングの発生する１つの要因としては、第１実施形態と同様に、蒸気負荷が低いときに、わずかな圧力変化に対して必要以上に操作量が過剰に算出されることが挙げられる。
具体的には、低負荷時において、例えば、全台待機からのヘッダ圧力値低下の際、必要以上のボイラに対し燃焼指示を出してしまい、その後、一部ボイラが燃焼を開始し、ヘッダ圧力値が上昇に転じた後も、燃焼量を増やしすぎるため、圧力変動が急激に上下動し、擬似ハンチング（又はハンチング）が発生すると考えられる。
疑似ハンチング現象が発生すると、ヘッダ圧力値が制御上限圧力値を超えて、全缶停止及びハンチングを起こす可能性がある。
第２実施形態においては、このような擬似ハンチングを検出することで、ヘッダ圧力値が制御上限圧力値を超えて、全缶停止及びハンチングを起こすことを未然に防止することを可能にする。
次に、疑似ハンチングの類型について説明する。
【０１００】
［第１の擬似ハンチング］
ヘッダ圧力値が、制御部４Ａにより複数のボイラ２０が全缶停止される閾値として予め設定された制御上限圧力値と設定圧力範囲の上限圧力値との間に第２制御上限圧力値を予め設定する。
制御上限圧力値  ＞  第２制御上限圧力値  ＞上限圧力値
【０１０１】
第２実施形態においては、ヘッダ圧力値が制御上限圧力値を超えないが、第２制御上限圧力値以上となるような変動を第１の時間（例えば、６０秒）以内に第１の回数（例えば、４回）以上繰り返す変動を擬似ハンチングの一種としてとらえる（以下、「第１の擬似ハンチング」ともいう）。
なお、第１の時間及び第１の回数については、ボイラシステム１の特性に合わせて、適宜設定することができる。
例えば、第１の回数を「１」に設定した場合、ハンチング検出部４３Ａは、ヘッダ圧力値が制御上限圧力値を超えないが、第２制御上限圧力値以上となるような変動が発生したか否かを検出する。
【０１０２】
［第２の擬似ハンチング］
ヘッダ圧力値が、設定圧力範囲の下限圧力値との偏差の絶対値が第１閾値以下となるように予め設定された第２制御下限圧力値を下回る又は第２制御下限圧力値以下となる回数が、第２の時間の間に、第２の回数以上発生する変動を擬似ハンチングの一種としてとらえる（以下、「第２の擬似ハンチング」ともいう）。
なお、第２の時間及び第２の回数については、ボイラシステム１の特性に合わせて、適宜設定することができる。
この場合、第２の回数を「１」に設定した場合、ハンチング検出部４３Ａは、ヘッダ圧力値が、第２制御帯下限値を下回る又は第２制御帯下限値以下となることが発生したか否かを検出する。
【０１０３】
［第３の疑似ハンチング］
ヘッダ圧力値が降下する際の圧力降下幅が予め設定された圧力降下幅値を超える又は圧力降下幅値以上となる回数が、第３の時間（例えば、６０秒）の間に、第３の回数（例えば、４回）以上発生するような、ヘッダ圧力値が目標蒸気圧の上下に急激に変動する場合を擬似ハンチングの一種としてとらえる（以下、「第３の擬似ハンチング」という）。
なお、第３の時間及び第３の回数については、ボイラシステム１の特性に合わせて、適宜設定することができる。
例えば、第３の回数を「１」に設定した場合、ハンチング検出部４３Ａは、ヘッダ圧力値ＰＶが降下する際の圧力降下幅が予め設定された圧力降下幅値を超える又は圧力降下幅値以上となる状態（第３の疑似ハンチング状態）が発生し、第３の時間の間に、１回以上発生する変動を第３の擬似ハンチング状態として検出する。
【０１０４】
＜制御切換部４４Ａ＞
制御切換部４４Ａは、ハンチング検出部４３Ａによりハンチング又は疑似ハンチングが検出され、その後ヘッダ圧力値が下降から上昇に転じた場合、ヘッダ圧力値の上昇時におけるボイラ群２の燃焼量減少のタイミングの制御を、第１制御部４１Ａから第２制御部４２Ａによる制御に切り換える。
そうすることで、図３Ｂに示すように、第１実施形態と同様に、例えばヘッダ圧力値が圧力帯域ｇの上限値（すなわち圧力帯域ｆの下限値）に達すると、３号機が低燃焼位置（Ｌ）に位置することで、ボイラ群２の燃焼量を減少させ、その後、圧力帯域毎に、第１制御部４１による制御より早いタイミングで、燃焼量を減少させるように制御される。
このように、第２制御部４２Ａによる制御により、第１制御部４１による制御より早いタイミングで、出力蒸気量を減少させることができる。
その結果、ボイラシステム１は、圧力変動の急激な上下動を抑制して、擬似ハンチング段階においてヘッダ圧力値を速やかに設定圧力範囲内の値に収束させ、ハンチングの発生を回避することができる。
【０１０５】
なお、第２実施形態においても、第１実施形態と同様に、制御切換部４４Ａは、ヘッダ圧力値の上昇時のボイラ群２の燃焼量減少のタイミングの制御を第２制御部４２Ａによる制御に切り換えた後、ヘッダ圧力値が設定圧力範囲の上限圧力値に達することなく、下降に転じた場合に、ヘッダ圧力値の上昇時のボイラ群２の燃焼量減少のタイミングの制御を第１制御部４１Ａによる制御に切り換えることが好ましい。
【０１０６】
次に、第２実施形態のボイラシステム１の動作について、図８を参照して説明する。図８は、第２実施形態に係るボイラシステム１の制御の流れを示すフローチャートである。
【０１０７】
ステップＳＴ２１において、制御部４は、疑似ハンチングフラグデータのリセット等の初期設定をする。また、制御部４は、ヘッダ圧力値の上昇時のボイラ群２の燃焼量減少のタイミングを、第１制御部４１により制御するように、初期設定する。
なお、疑似ハンチングフラグデータは、レジスタ、ビットメモリ等を適宜用い、それぞれ、ハンチング検出部４３Ａがハンチング又は疑似ハンチングを判定した場合に、セットされる。
【０１０８】
ステップＳＴ２２において、制御部４は、制御周期毎にヘッダ圧力値が設定圧力範囲に収まるように、ボイラ群２の燃焼状態を制御する。
【０１０９】
ステップＳＴ２３において、疑似ハンチングフラグデータがセットされているか否かを判定し、疑似ハンチングフラグデータがセットされている場合（Ｙｅｓ）には、ステップＳＴ２７に移る。一方、疑似ハンチングフラグデータがセットされていない場合（Ｎｏ）には、ステップＳＴ２４に移る。
【０１１０】
ステップＳＴ２４において、ハンチング検出部４３Ａは、ハンチング又は疑似ハンチングを検出したか否かを判定し、ハンチング又は疑似ハンチングを検出した場合（Ｙｅｓの場合）、ステップＳＴ２５に移る。検出していない場合（Ｎｏの場合）、ステップＳＴ２２に戻る。
【０１１１】
ステップＳＴ２５において、ハンチング検出部４３Ａは、疑似ハンチングフラグデータをセットする。
【０１１２】
ステップＳＴ２６において、制御切換部４４Ａは、ヘッダ圧力値の上昇時のボイラ群２の燃焼量減少のタイミングの制御を第２制御部４２による制御に切り換える。その後ステップＳＴ２２に戻る。
【０１１３】
ステップＳＴ２７において、制御部４は、ヘッダ圧力値が設定圧力範囲の上限圧力値に達することなく下降に転じたか否かを判定し、ヘッダ圧力値が設定圧力範囲の上限圧力値に達することなく下降に転じた場合（Ｙｅｓの場合）、ステップＳＴ２８に進む。そうでない場合（Ｎｏの場合）、ステップＳＴ２２に戻る。
【０１１４】
ステップＳＴ２８において、制御部４は、疑似ハンチングフラグデータをリセットする。
【０１１５】
ステップＳＴ２９において、制御切換部４４Ａは、ヘッダ圧力値の上昇時のボイラ群２の燃焼量減少のタイミングの制御を第１制御部４１による制御に切り換える。その後、ＳＴ２２に戻る。
【０１１６】
上述した第２実施形態に係る比例分配制御方式を用いるボイラシステム１においては、ハンチング検出部４３Ａにより、それぞれ第１の擬似ハンチング、第２の擬似ハンチング、又は第３の擬似ハンチングを検出した場合、ヘッダ圧力値が下降から上昇に転じたときに、ヘッダ圧力値の上昇時の前記ボイラ群の燃焼量減少のタイミングの制御を、第１制御部４１Ａから第２制御部４２Ａによる制御に切り換える処理を実行する。
これにより、第２実施形態に係る比例分配制御方式を用いるボイラシステム１は、ヘッダ圧力値が下降から上昇に転じた時点以降で、第１制御部４１Ａによる制御より早いタイミングで、出力蒸気量を減少させることができ、ボイラシステム１の出力蒸気量は、蒸気消費量（要求負荷）の変動に速やかに追従することができる。その結果、ボイラシステム１は、圧力変動の急激な上下動を抑制して、ヘッダ圧力値を速やかに設定圧力範囲内の値に収束させ、ハンチングの発生を回避することができ、圧力安定性を向上させることができる。
【０１１７】
以上、本発明のボイラシステム１の好ましい一実施形態につき説明したが、本発明は、上述の実施形態に制限されるものではなく、適宜変更が可能である。
【０１１８】
本実施形態では、ボイラ群２は３台の段階値制御ボイラ２０を含むとしたが、これに限定されない。段階値制御ボイラ２０の台数は、適宜設定することができる。
【０１１９】
本実施形態では、段階値制御ボイラ２０を、３台ともに３位置制御のボイラとしたが、これに限定されない。すなわち、本発明の段階値制御ボイラ２０を、３位置制御以外に、中燃焼位置を有する４位置制御以上のボイラ、又は２位置制御の段階値制御ボイラとしてもよい。
また、各段階値制御ボイラ２０のボイラ容量、燃焼位置の段階数、及び各燃焼位置における燃焼率等が、各段階値制御ボイラ２０のそれぞれで異なることとしてもよい。
【符号の説明】
【０１２０】
１  ボイラシステム
２  ボイラ群
２０  段階値制御ボイラ
３  台数制御装置
４  制御部
４１  第１制御部
４２  第２制御部
４３  第３制御部
４４  必要蒸気量算出部
４５  第１検出部
４６  第２検出部
４７  制御切換部
５  記憶部
５１  第１制御圧力帯域記憶部
５２  第２制御圧力帯域記憶部
５３  第３制御圧力帯域記憶部
５４  優先順位記憶部
４Ａ  制御部
４１Ａ  第１制御部
４２Ａ  第２制御部
４３Ａ  ハンチング検出部
４４Ａ  制御切換部
【図１】
0006606917.tif 000002
【図２】
0006606917.tif 000003
【図３Ａ】
0006606917.tif 000004
【図３Ｂ】
0006606917.tif 000005
【図３Ｃ】
0006606917.tif 000006
【図４】
0006606917.tif 000007
【図５】
0006606917.tif 000008
【図６】
0006606917.tif 000009
【図７】
0006606917.tif 000010
【図８】
0006606917.tif 000011